(57)【要約】【課題】商品に関する情報を提供するためのカードを廃止し、ショッピングカートに搭載したプリンターによって出力する場合、広くない店舗や少量の買い物ではショッピングカートが邪魔であるという問題があった。【解決手段】商品の価格等を表示する電子棚札装置であって、商品の情報を表示する表示パネルと、前記商品に関する情報を印刷し出力することができる印刷機能を有することを特徴とする。印刷機能は複数の商品の情報を印刷し、出力することができる。よって、客が売り場で欲しい商品情報を特殊な装置を持たなくても、その場で必要なだけ印刷することができる。【選択図】図１
2008129630.tif 000002
【特許請求の範囲】
【請求項１】
商品の価格等を表示する電子棚札装置であって、
該商品の情報を表示する表示パネルと、前記商品に関する情報を印刷し出力することができる印刷機能を有することを特徴とする電子棚札装置。
【請求項２】
前記印刷機能は複数の前記商品の情報を印刷し、出力することができることを特徴とする請求項1に記載の電子棚札装置。
【請求項３】
ID番号情報が送信されるストアコントローラと、印刷機能を備えたプリンター部と、電子棚札部とを備え、
前記電子棚札部は前記表示パネルと表示内容記録手段と電子棚札部送受信手段とを有し、前記プリンター部は印刷部と印刷内容記録手段とプリンター部送受信手段とを有し、
前記ストアコントローラから前記電子棚札部には、表示内容と印刷情報と前記ID番号情報とが送信され、前記表示内容は前記表示内容記録手段に格納し、
前記ストアコントローラから前記プリンター部には印刷情報と前記ID番号情報が送信され、前記印刷情報と前記ID番号情報は前記印刷情報記録手段に格納し、
前記電子棚札部送受信手段は前記ID番号と前記印刷情報を前記プリンター部と前記ストアコントローラとに送信し、前記ストアコントローラは前記ID番号と前記印刷情報を記憶する機能を有することを特徴とする請求項１に記載の電子棚札装置。
【請求項４】
前記電子棚札送受信手段は複数の前記ID番号と複数の前記印刷情報を前記プリンター部に送信することを特徴とする請求項３に記載の電子棚札装置。
【請求項５】
前記プリンター部は複数配置され、それぞれの前記プリンター部に対して、前記印刷情報の範囲を設定することを特徴とする請求項３に記載の電子棚札装置。
【発明の詳細な説明】
【技術分野】
【０００１】
本発明は、商品の価格や商品情報を表示する電子棚札装置であって、特に、商品に関する情報を印刷出力できる機能を有する電子棚札装置に関する。
【背景技術】
【０００２】
スーパーマーケット等では商品の陳列棚に、陳列されている商品に対応した棚札がそれぞれにセットされており、商品名や価格等の商品情報を表示している。現在、棚札は印刷された紙製等のカード式のものから、表示に液晶ディスプレイ等を用いて遠隔から集中管理され電気的に表示内容を書き換えることができる電子棚札システムへと置き換わってきている。電子棚札システムを使用することで、価格の変更等による棚札の交換作業を省き、表示間違いを防止することができる。また、表示を電気的に書き換えるだけなので急な価格変更にも対応することが可能である。
【０００３】
また、スーパーマーケットでは、棚札以外にも販売促進を目的として、レシピ情報や割引券等の商品に関する情報を印刷したカードを用意し、店舗入り口や該当商品付近に配置している。
【０００４】
特許文献１に示した従来技術では、ショッピングカートに表示装置やプリンター等を有する構成とすることにより、広告や近くの商品に関する情報を表示し、プリンターによって必要な時には割引券等を印刷することができるものである。このような構成とすることにより、購入しない客や子供のいたずらによるカードの不足を起こらなくするため、店舗では余分なカードを用意する必要をなくすことができる。また、急な割引率の変更などがある場合でも、電気的に印刷内容のデータを切り替えるだけなので印刷内容を容易に変更することができる。
【０００５】
【特許文献１】特開２００１‐３４８５０号公報（第３頁、第２図）
【発明の開示】
【発明が解決しようとする課題】
【０００６】
ショッピングカートに付随した表示装置および印刷装置では、広告や特売品などの店舗側からの情報発信は比較的容易であるが、客側からの情報検索には適していない。例えば、客が自分の目の前にある特定の商品情報を知りたい場合に、ショッピングカートの表示装置では、情報を知りたい商品を特定するためには、客の近くに陳列されている数多くの商品の中から情報を知りたい商品を検索し選択する必要がある。
【０００７】
また、買い物をする時に常にショッピングカートを使用するとも限らない。例えば、通路の広くない店舗や少量の買い物をする場合にはショッピングカートを使用すると邪魔となり、手持ち用のかごを使用するか、商品をそのまま手に取って買い物する方が便利である。手持ち用のかごに表示装置やプリンターをつけてしまうと、かごの重量が重くなり、買い物をするのに疲れてしまう。また、商品をそのまま手に取って買い物をする場合には割引券等のサービスが受けられなくなってしまう。
【０００８】
本発明の目的は上記の課題を解決しようとするもので、客が売り場で商品を目の前にして、特殊な装置を持たずに容易に商品情報を印刷出力できる電子棚札装置を提供することにある。
【課題を解決するための手段】
【０００９】
上記目的を達成するための構成は以下の構成を採用する。本発明は商品の価格等を表示する電子棚札装置であって、商品の情報を表示する表示パネルと、商品に関する情報を印刷し出力することができる印刷機能を有することを特徴とする。また、印刷機能は複数の前記商品の情報を印刷し、出力することができることを特徴とする。
【００１０】
また、本発明の電子棚札装置は、ID番号情報が送信されるストアコントローラと、印刷機能を備えたプリンター部と、電子棚札部とを備え、電子棚札部は表示パネルと表示内容記録手段と電子棚札部送受信手段とを有し、プリンター部は印刷部と印刷内容記録手段とプリンター部送受信手段とを有し、ストアコントローラから電子棚札部には、表示内容と印刷情報とID番号情報とが送信され、表示内容は前記表示内容記録手段に格納し、ストアコントローラからプリンター部には印刷情報とID番号情報が送信され、印刷情報とID番号情報は印刷情報記録手段に格納し、電子棚札部送受信手段はID番号と印刷情報をプリンター部とストアコントローラとに送信し、ストアコントローラはID番号と印刷情報を記憶する機能を有することを特徴とする。
【００１１】
また、電子棚札送受信手段は複数のID番号と複数の印刷情報をプリンター部に送信することを特徴とする。または、プリンター部は複数配置され、それぞれのプリンター部に対して、印刷情報の範囲を設定することを特徴とする。
【発明の効果】
【００１２】
本発明は商品の価格等を表示する電子棚札であり、商品に対応して配置され、商品の情報を表示する表示パネルと、商品に関する情報を印刷し出力することができる印刷機能を有する構成を採用する。このような構成にすることにより、客が店舗の売り場で情報が欲しい商品の情報を特殊な装置を持たなくても、その場で必要な情報を必要なだけ印刷することができる。また、店舗では割引券などのような商品に関するカードを用意する必要がなくなり紙の削減とカードを配置するための店員の作業負荷を減らすことができる。
【発明を実施するための最良の形態】
【００１３】
以下図面により本発明の形態を詳述する。図1は電子棚札装置の外観構成を示す正面図である。図2は電子棚札装置の外観構成を示す断面図である。図3は電子棚札装置の内部を説明するためのブロック図である。
【００１４】
本発明の構成について図を用いて説明する。図１において１はプリンター部、２は電子棚札部、3は商品陳列棚である。１１はプリンター部１の紙の排出口、２１は電子棚札部２の表示パネル、２２は印刷内容を決定するためのスイッチである。電子棚札部２は商品名や価格等を表示する表示部２１と印刷内容を決定するためのスイッチ２２によって構成されており、スイッチ２２を押すことによって印刷内容を決定し、排出口１１から印刷された紙が出力される。
【００１５】
図１では電子棚札装置が商品陳列棚3に固定された状態を示している。図2のように電子棚札装置のプリンター部1は商品陳列棚３の下側や壁面へ固定するか、商品陳列棚３の中へ埋め込み固定する構成とすることで、商品を陳列するのに邪魔にならないようにすることができる。プリンター部1は、陳列の邪魔にならないために小型化が必要であり、例えばプリンター部１は小型化が比較的容易であり、低価格であるサーマルプリンタなどで構成されている。また、電子棚札部２とプリンター部１は一体となった構成でもよいが、電子棚札部2とプリンター部１を分離できるような構成とし、プリンター部1が電子棚札部２の取り付け装置を兼ねてもよい。
【００１６】
表示パネル２１は、電気的に書き換えが可能な表示体で構成されており、例えば安価に製造できる液晶ディスプレイで構成されている。
【００１７】
スイッチ２２を複数個で構成することにより、印刷内容の種類を増やし、客が印刷内容を選択することができる。例えば、2つのスイッチで構成し、一方のスイッチでは印刷内容の種類を選択する。もう一方のスイッチで印刷の実行を決定する。印刷内容の種類が増えることで、棚札に表示されている価格情報だけでなく様々な情報を提供することができる。また、客が商品に関する情報で必要な項目のみ印刷することができるため、紙の使用量も抑えることができる。
【００１８】
次に内部の構成について図を用いて説明する。図３において４はストアコントローラである。プリンター部１は印刷部１２と印刷内容記録手段１３と印刷内容のプリンター部送受信手段１４により構成されている。電子棚札部２は表示パネル２１とスイッチ２２と表示内容記録手段２３と電子棚札部送受信手段２４により構成されている。電子棚札部送受信手段２４は表示パネル２１に表示する表示内容や商品のID番号等のデータを送受信する機能を有する。
【００１９】
印刷内容記録手段１３と表示内容記録手段２３は、ストアコントローラ４から送信された印刷情報や表示情報およびID番号情報等を保存しておくためのものであって、例えばフラッシュメモリなどの電気的書き換え可能な不揮発性記憶素子で構成されている。
【００２０】
プリンター部送受信手段１４、電子棚札部送受信手段２４はストアコントローラ４とプリンター部１と電子棚札部２にそれぞれデータを送受信するためのもので、例えば電波を利用した通信など無線で通信できるもので構成されている。また、電子棚札部２からプリンター部１へ商品に対応したID番号と印刷項目を送信する時にも使用される。このときの送受信手段は有線であっても構わない。
【００２１】
店舗ではストアコントローラ４によりすべての商品情報を集中管理している。商品情報が変更されると、ストアコントローラ４からプリンター部１には価格情報やレシピ情報といった印刷情報と商品に対応したID番号情報が送信され、印刷内容記録手段１３に格納する。また、ストアコントローラ４から、電子棚札部２には、価格情報などの表示内容と印刷項目の情報が送信され、表示内容記録手段２３に表示内容を格納し、さらに表示パネル２１の表示を切り替える。客が電子棚札部２のスイッチ２２によって価格情報やレシピ情報といった印刷したい項目を決定すると、電子棚札部2から該当する商品のID番号と印刷項目の情報がプリンター部1に送信される。プリンター部１は、受信した商品のID番号と印刷項目を基に印刷内容を決定し、印刷情報記憶手段１３から該当する印刷内容を読み出し、印刷部１２で紙に印刷出力する。
【００２２】
また、スイッチ２２によって印刷したい項目を決定した時に、商品のID番号と印刷項目をプリンター部１だけでなくストアコントローラ４にも送信し、履歴を残しておくことで、どれだけの客がどの商品のどのような内容に興味を示したのか分析することができ、顧客満足や販売促進につなげることができる。
【００２３】
また、プリンター部１と電子棚札部２の送受信を無線で行う場合には、プリンター部1に複数の商品のID番号とそれぞれの印刷情報を認識させることで、ひとつのプリンターに対して複数の電子棚札部２を使用することができる。また、それぞれのプリンター部に印刷する商品の範囲を設定することにより、誤って複数のプリンターから同時に印刷されることを防ぐことができる。そのような構成にすることにより決まった範囲に置かれている商品情報をひとつのプリンターで出力する事ができるため、印刷機能を有する電子棚札装置の導入個数を減らすことができる。店舗側としては陳列棚の陳列スペース確保と導入コストを抑えることができる。
【産業上の利用可能性】
【００２４】
本発明の印刷出力可能な電子棚札装置は、従来、商品に関する情報を紙製等のカードにより配布していたものをなくすことができ、紙の使用量と店員による作業の負荷を低減することができる。また、客が特殊な装置を持つことなく商品情報を印刷出力し使用することができる。
【図面の簡単な説明】
【００２５】
【図１】本発明の電子棚札装置の外観構成を示す正面図である。
【図２】本発明の電子棚札装置の外観構成を示す断面図である。
【図３】本発明の電子棚札装置の内部を説明するブロック図である。
【符号の説明】
【００２６】
１  プリンター部
２  電子棚札部
３  商品陳列棚
４  ストアコントローラ
１１  プリンター排出口
１２  印刷部
１３  印刷内容記録手段
１４  プリンター部送受信手段
２１  表示パネル
２２  スイッチ
２３  表示情報記録手段
２４  電子棚札部送受信手段
【図１】
2008129630.tif 000003
【図２】
2008129630.tif 000004
【図３】
2008129630.tif 000005